(57)【要約】【課題】  可及的簡易な構造によってシャッター単位の開閉に連動して、シャッター単位の一体化保持とその解除をなし得るようにした横引シャッターを提供する。【解決手段】  横引シャッターＡのシャッター単位２をなす同幅一対の戸体３に回動自在に連結した各吊元框３４の上下端に開き止め部材５を配置し、シャッター単位２を折畳み、その吊元框３４を相互に対接することによって開き止め部材５を係止して該シャッター単位２を一体化保持する一方、シャッター単位２を伸張し、その吊元框３４を離隔することによって開き止め部材５の係止とこれによる一体化保持を解除する。開き止め部材５は上レール１１と下レール１２のレール溝内に位置する合成樹脂製として、シャッター単位２の開閉に連動して合成樹脂の弾発性によって係止と係止解除を行うようにする。【選択図】  図８
2012077559.tif 000002
【特許請求の範囲】
【請求項１】
同幅一対の戸体の連結側端部を伸張折畳み自在に連結した複数のシャッター単位を、その上吊側端部を上レールと下レール間に上吊り装着することによって該シャッター単位毎の単独開閉を自在とした横引きシャッターであって、上記シャッター単位の上吊側端部の上下端に該シャッター単位の折畳みによって相互に係止自在とし且つ伸張によって係止解除自在としたシャッター単位開閉連動の開き止め部材を配置してなることを特徴とする横引きシャッター。
【請求項２】
上記上吊側端部の上下端の開き止め部材の配置を、該開き止め部材が上記上レール及び下レールのレール溝内にそれぞれ位置するように行なってなることを特徴とする請求項１に記載の横引シャッター。
【請求項３】
上記シャッター単位における上吊側端部の上吊装着を、該上吊側端部にローラーの支持基板を配置し該支持基板に回転自在に設置したローラーによって行なうともに該ローラーの支持基板に上記開き止め部材を固定してなることを特徴とする請求項１又は２に記載の横引シャッター。
【請求項４】
上記開き止め部材を配置した上吊側端部を、同幅一対の戸体の吊元側の縦框に回動自在に配置した吊元框としてなることを特徴とする請求項１、２又は３に記載の横引シャッター。
【請求項５】
上記開き止め部材を、合成樹脂製として、シャッター単位開閉連動の係止及び係止解除を合成樹脂の弾発性によって行ってなることを特徴とする請求項１、２、３又は４に記載の横引シャッター。
【発明の詳細な説明】
【技術分野】
【０００１】
本発明は、例えば、サンルーム等の建物開口部に設置使用する横引シャッターに関する。
【背景技術】
【０００２】
この種の横引シャッターとして、同幅一対の戸体の連結側端部を伸張折畳み自在に連結した複数のシャッター単位を、その上吊側端部を上レールと下レール間に上吊り装着することによって該シャッター単位毎の単独開閉を自在としたものが知られており、このとき、該シャッター単位は、その上吊側端部における室内側見付面の一方に押圧突起を、他方に回動部材と該回動部材の傾斜回動によって昇降する昇降部材を配置し、シャッター単位の折畳み、即ち、開成に際して該押圧部材の回動部材押圧により昇降部材を降下し、該降下時に、例えば、該昇降ロッドの下端に設置したクッション材を下レールに圧接してシャッター単位の一体化保持を行って、シャッター単位が風圧を受けて戸体が揺動するのを防止する一方、伸張、即ち、閉成に際してシャッター単位離脱により昇降ロッドを上昇して、上記一体化保持を解除するようにしたものとされる。
【先行技術文献】
【特許文献】
【０００３】
【特許文献１】特開２００９−２６４０６４号公報
【発明の概要】
【発明が解決しようとする課題】
【０００４】
この場合、シャッター単位の伸張、即ち、シャッター単位の開閉により、開成時にシャッター単位の一体化保持を確実に行うとともに下レールに対してその位置固定をなし得て、該シャッター単位の風圧による戸体の揺動を防止することができ、従って、任意のシャッター単位を折畳んだ状態で通風を行う等、使い勝手を良好なものとすることができる。
【０００５】
しかし乍ら、この場合、シャッター単位の一体化保持のために押圧部材と該押圧部材によって昇降する昇降ロッドを設置する必要があり、保持一体化のための構造が複雑化すること、また、このためにコストアップを招く傾向を生じ易いという問題点が残されている。
【０００６】
本発明はかかる事情に鑑みてなされたもので、その解決課題とするところは、可及的簡易な構造によって、シャッター単位の開閉に連動して、シャッター単位の折畳みにより該シャッター単位を一体化保持し、シャッター単位の伸張によって一体化保持を解除し得るようにした横引シャッターを提供するにある。
【課題を解決するための手段】
【０００７】
上記課題に沿って本発明は、シャッター単位の上吊側端部の上下端に該シャッター単位の開閉に連動する開き止め部材を配置して、シャッター単位を折畳み、その上吊側端部を対接することによって相互に係止し、該シャッター単位の上吊側端部をその上下端において一体化保持する一方、シャッター単位を伸張し、その上吊側端部を離隔することによって上記係止とこれによる一体化保持を解除するようにして、可及的簡易な構造によって、シャッター単位の開閉に連動して、シャッター単位の一体化保持とその解除をなし得るようにしたものであって、即ち、請求項１に記載の発明を、同幅一対の戸体の連結側端部を伸張折畳み自在に連結した複数のシャッター単位を、その上吊側端部を上レールと下レール間に上吊り装着することによって該シャッター単位毎の単独開閉を自在とした横引きシャッターであって、上記シャッター単位の上吊側端部の上下端に該シャッター単位の折畳みによって相互に係止自在とし且つ伸張によって係止解除自在としたシャッター単位開閉連動の開き止め部材を配置してなることを特徴とする横引きシャッターとしたものである。
【０００８】
請求項２に記載の発明は、上記に加えて、上記開き止め部材の配置を、上記上レール及び下レールのレール溝内に位置するように行うことによって、該開き止め部材が外部に露出するのを防止して、外観を良好とした横引シャッターとするように、これを、上記上吊側端部の上下端の開き止め部材の配置を、該開き止め部材が上記上レール及び下レールのレール溝内にそれぞれ位置するように行なってなることを特徴とする請求項１に記載の横引シャッターとしたものである。
【０００９】
請求項３に記載の発明は、同じく上記に加えて、上記開き止め部材を、シャッター単位の上吊装着に用いた上吊側端部の上下端配置のローラー設置用の支持基板に対して固定することによって、該開き止め部材の配置を可及的簡易な構造にして確実に作動するものとするように、これを、上記シャッター単位における上吊側端部の上吊装着を、該上吊側端部にローラーの支持基板を配置し該支持基板に回転自在に設置したローラーによって行なうともに該ローラーの支持基板に上記開き止め部材を固定してなることを特徴とする請求項１又は２に記載の横引シャッターとしたものである。
【００１０】
請求項４に記載の発明は、同じく上記に加えて、シャッター単位を、上レールと下レールの長手方向に走行する吊元框を備えたものとして、該シャッター単位を安定した開閉を行うものとするとともに該吊元框に上記開き止め部材を配置して、開き止め部材の係止と係止解除を安定且つ確実になし得るものとするように、これを、上記開き止め部材を配置した上吊側端部を、同幅一対の戸体の吊元側の縦框に回動自在に配置した吊元框としてなることを特徴とする請求項１、２又は３に記載の横引シャッターとしたものである。
【００１１】
請求項５に記載の発明は、同じく上記に加えて、上記シャッター単位の開閉に際して開き止め部材の係止や係止解除をスムーズ且つ確実に行うとともに騒音を発生することのないものとするように、これを、上記開き止め部材を、合成樹脂製として、シャッター単位開閉連動の係止及び係止解除を合成樹脂の弾発性によって行ってなることを特徴とする請求項１、２、３又は４に記載の横引シャッターとしたものである。
【００１２】
本発明はこれらをそれぞれ発明の要旨として、上記課題解決の手段としたものである。
【発明の効果】
【００１３】
本発明は以上のとおりに構成したから、請求項１に記載の発明は、シャッター単位の上吊側端部の上下端に該シャッター単位の開閉に連動する開き止め部材を配置して、シャッター単位を折畳み、その上吊側端部を対接することによって相互に係止し、該シャッター単位の上吊側端部をその上下端において一体化保持する一方、シャッター単位を伸張し、その上吊側端部を離隔することによって上記係止とこれによる一体化保持を解除するようにして、可及的簡易な構造によって、シャッター単位の開閉に連動して、シャッター単位の一体化保持とその解除をなし得るようにした横引シャッターを提供することができる。
【００１４】
請求項２に記載の発明は、上記に加えて、上記開き止め部材の配置を、上記上レール及び下レールのレール溝内に位置するように行うことによって、該開き止め部材が外部に露出するのを防止して、外観を良好とした横引シャッターとすることができる。
【００１５】
請求項３に記載の発明は、同じく上記に加えて、上記開き止め部材を、シャッター単位の上吊装着に用いた上吊側端部の上下端配置のローラー設置用の支持基板に対して固定することによって、該開き止め部材の配置を可及的簡易な構造にして確実に作動するものとすることができる。
【００１６】
請求項４に記載の発明は、同じく上記に加えて、シャッター単位を、上レールと下レールの長手方向に走行する吊元框を備えたものとして、該シャッター単位を安定した開閉を行うものとするとともに該吊元框に上記開き止め部材を配置して、開き止め部材の係止と係止解除を安定且つ確実になし得るものとすることができる。
【００１７】
請求項５に記載の発明は、同じく上記に加えて、上記シャッター単位の開閉に際して開き止め部材の係止や係止解除をスムーズ且つ確実に行うとともに騒音を発生することのないものとすることができる。
【図面の簡単な説明】
【００１８】
【図１】横引シャッターを装着したサンルームの正面図である。
【図２】シャッター単位の折畳み時の上吊側端部を示す横断面図である。
【図３】シャッター単位の伸張時の上吊側端部を示す上部の横断面図である。
【図４】シャッター単位の折畳み時の上吊側端部を示す上部の正面図である。
【図５】シャッター単位の伸張時の上吊側端部を示す下部の横断面図である。
【図６】シャッター単位の折畳み時の上吊側端部を示す下部の正面図である。
【図７】上レールとローラーの関係を示す縦断面図である。
【図８】上レールと開き止め部材の関係を示す縦断面図である。
【図９】下レールとローラーの関係を示す縦断面図である。
【図１０】上端の開き止め部材の平面図である。
【図１１】下端の開き止め部材の正面図である。
【発明を実施するための形態】
【００１９】
以下図面の例に従って本発明を更に具体的に説明すれば、Ａは横引きシャッターであり、該横引きシャッターＡは、同幅一対の戸体の連結側端部を伸張折畳み自在に連結した複数のシャッター単位２を、その上吊側端部を上レール１１と下レール１２間に上吊り装着することによって該シャッター単位２毎の単独開閉を自在としたものとしてある。
【００２０】
本例にあって該横引きシャッターＡは、シャッター枠１と、該シャッター枠１に開閉自在に上吊装着したシャッター単位２とを備えて形成してあり、シャッター枠１は、上レール１１及び下レール１２と、該上レール１１及び下レール１２長手方向両端部の縦枠１４、本例にあっては支柱を備えて、これらを枠組みすることによってサンルームの正面及び左右の開口に設置してある。
【００２１】
シャッター単位２は、上下の横框３１及び左右の縦框３２を框組みし、その内部にガラス等の透明乃至半透明のパネル３３を装着した縦長矩形にして同幅一対の戸体３を用い、その連結側端部、即ち、直列状態で相互に隣接する縦框３２を上下複数箇所でヒンジ連結、本例にあっては上下２ヶ所に丁番金具３５を介設し、該丁番金具３５による回動自在の連結を行うことによって伸張折畳み、即ち、直列の伸張閉成とＶ字状の折畳み開成を自在としたものとする一方、その上吊側端部、即ち、戸体３の非連結側端部を、上記シャッター枠１の上レール１１と下レール１２間に上吊り装着することによって該端部を該上レール１１と下レール１２によって案内して各シャッター単位２毎の開閉を自在としてある。
【００２２】
本例のシャッター単位２にあって、その上吊側端部には、上記同幅一対の戸体３の吊元側の縦框３２に吊元框３４を回動自在に配置してあり、該吊元框３４を戸体３の上吊側端部として上記上レール１１と下レール１２間に上吊り装着し、これによって、シャッター単位２の上吊側端部を、開閉に際して回動することなく常に上レール１１と下レール１２の装着状態でその長手方向に向けて走行するようにして、シャッター単位２の開閉をスムーズ且つ確実に行うようにしてある。
【００２３】
本例にあって吊元框３４は、上記吊元側の各縦框３２に、同じく上下複数箇所でヒンジ連結、本例にあっては上下２ヶ所に丁番金具３５を介設し、該丁番金具３５による回動自在の連結を行うことによって、開閉の伸張折畳みに際して、同幅一対の戸体３が、その縦框３２を回動して上レール１１及び下レール１２から室外側に脱出して、その折畳みの開成を行うものとしてある。
【００２４】
該シャッター単位２における上吊側端部の上吊装着は、これを、該上吊側端部の上下端に、ローラー４６、４７の支持基板４を配置し該支持基板４にローラー４６、４７を回転自在に設置することによって行なってあり、本例のローラーは、上吊側端部、本例にあっては吊元框３４の上端には上吊用のローラー４６を、下端には振れ止め用のローラー４７をそれぞれ設置し、該ローラー４６、４７によって吊元框３４の上下端を上レール１１及び下レール１２の長手方向に案内して、幅方向両端部に位置する吊元框３４を含めて、各シャッター単位２をそれぞれ上レール１１及び下レール１２長手方向に走行自在の走行框としてあり、これによってシャッター単位２は、その全てを上レール１１と下レール１２間で任意位置に移動自在とし且つその単独開閉自在としたものとしてある。
【００２５】
このように形成したシャッター単位２には、その上吊側端部の上下端に該シャッター単位２の折畳みによって相互に係止自在とし且つ伸張によって係止解除自在としたシャッター単位開閉連動の開き止め部材５を配置してあり、本例にあって該上吊側端部の上下端の開き止め部材５の配置は、これを、該開き止め部材５が上記上レール１１及び下レール１２のレール溝内にそれぞれ位置するように行なってある。これら開き止め部材５は、これを、合成樹脂製として、シャッター単位開閉連動の係止及び係止解除を合成樹脂の弾発性によって行うようにしたものとし、また、これら開き止め部材５は、これを、上記シャッター単位２における上吊側端部に配置したローラー４６、４７の支持基板４に固定したものとしてある。
【００２６】
本例にあって支持基板４は、上記吊元框３４の上端において、該吊元框３４の上部を被嵌するように断面下向きコ字状の取付被嵌部４１と、該取付被嵌部４１の天板から該天板を他方の戸体の上吊側端部、本例にあっては吊元框３４側に向けて突出した水平突出部４２とを備えた、例えば金属製のものとしてあり、上記取付被嵌部４１の天板及び水平突出部４２に近接して上記上吊用のローラー４６を、安定開閉のために一対配置固定したものとする一方、該水平突出部４２の突出方向先端に開き止め部材５を配置してある。
【００２７】
該吊元框３４の上端に配置した開き止め部材５は、それぞれ固定基部５１から室内側と室外側に係止突起５２を膨出した、小ブロック乃至ピース状にして一対の合成樹脂製成形部材によるものとしてあり、シャッター単位開閉の折畳みに伴って吊元框３４が相互に近接したとき、その一方乃至双方の係止突起５２が室内外方向に弾発的に変位することによって相互に嵌合してその係止を行い、また、シャッター単位開閉の伸張に伴って吊元框３４が相互に離隔したとき、上記とは逆に一方又は双方の係止突起５２が同様に弾発的に変位することによって離脱してその係止解除を行うようにしてある。
【００２８】
上記吊元框３４の下端において支持基板４は、断面Ｓ字状にして固定片４３と、該固定片４３から突出したＬ字片４４と、該Ｌ字片４４から突出した水平突片４５を備えた、同じく金属製のものとしてあり、固定片４３を吊元框３４の室内側見付面に固定して、水平突片４５を該見付面から室内側に向けて突出してある。このとき水平突片４５は、上記吊元框３４の上端におけると同様に他方の戸体３の吊元框３４側に向けて突出するように配置し、該水平突片４５に近接して振れ止め用のローラー４７を、同じく一対配置する一方、該水平突片４７の突出方向先端に開き止め部材５を配置してある。
【００２９】
該吊元框３４の下端に配置した開き止め部材５は、上記上端の開き止め部材とは異なる形態にして、固定基部５１に、一方に係止突起５２を、他方に該係止突起５３の受座５４を配置した、同じく小ブロック乃至ピース状にして一対の合成樹脂製成形によるものとしてあり、シャッター単位開閉の折畳みに伴って吊元框３４が相互に近接したとき、係止突起５３が上下に弾発的に変位することによって受座５４に引掛状に載置してその係止を行い、また、シャッター単位開閉の伸張に伴って吊元框３４が相互に離隔したとき、上記とは逆に係止突起５３が同様に弾発的に変位することによって離脱してその係止解除を行うようにしてある。
【００３０】
このとき、本例にあって横引シャッターＡは、そのシャッター枠１の上レール１１と下レール１２の位置を、下レール１２において室内側に変位するように室内外にずらした位置としてあり、従って、これら上レール１１と下レール１２のレール溝内にそれぞれ位置するように配置した開き止め部材５も、吊元框３４の上端において室外側に、下端において室内側に位置するように、上下で位置をずらすようにその配置を行ってあるところ、上レール１１及び下レール１２はそれぞれ気密材受を備え、該気密材受に装着した気密材１３を、閉成して伸張した戸体３の上下の各横框３１の室内側見付面に同一面で対接することによって、シャッター単位２の気密性を確保するようにしてある。
【００３１】
このように形成した本例の横引シャッターＡは、シャッター単位２の単独開閉に連動して、任意のシャッター単位２の折畳み時に、該シャッター単位の上吊側端部、本例にあっては吊元框３４の開き止め部材５を相互に係止して、該上吊側端部をその上下端において一体化保持する一方、シャッター単位２の伸張時に、上記係止とこれによる一体化保持を解除するようにして、シャッター単位２の単独開成時に、風圧等の外力による揺動を防止することができる。シャッター単位２の一体化保持とその解除は、シャッター単位２の上吊側端部の上下端に係脱自在の開き止め部材５を配置することによって可能となるから、該一体化保持とその解除を可及的簡易な構造としてシャッター単位２の開閉に連動して行うことができ、このとき該開き止め部材５は、上記上レール及び下レールのレール溝内に位置するように配置することによって、これが外部に露出するのを防止して、横引シャッターＡの外観を良好にすることができ、また、該開き止め部材５は、吊元框４３に配置したローラー４６、４７の各支持基板４に固定したことによって、開き止め部材５の係止と係止解除を安定且つ確実に行うとともに可及的簡易な構造にして確実に作動するものとすることができ、更に開き止め部材５は、これを、合成樹脂製として、シャッター単位２開閉連動の係止及び係止解除を合成樹脂の弾発性によって行うようにしたから、その係止や係止解除をスムーズ且つ確実に行うとともに騒音を発生することのないものとすることができる。
【００３２】
図示した例は以上のとおりとしたが、同幅一対の戸体の縦框を上レールと下レール間に上吊り装着することによって該シャッター単位毎の単独開閉を可能とし、該縦框の上下端に振れ止め部材を配置することによって上記一体化保持とその解除をなし得るようにすること、開き止め部材を上下端で共通のものとすること、開き止め部材を、水平方向両側又は上下方向両側の膨出突起と該膨出突起を弾発的に受入れる拡開自在の受座によるものとすること等を含めて、本発明の実施に当って、シャッター単位、その同幅一対の戸体、開き止め部材、必要に応じて用いる支持基板、吊元框等の各具体的形状、構造、材質、これらの関係、これらに対する付加等は、上記発明の要旨に反しない限り様々な形態ものとすることができる。
【符号の説明】
【００３３】
Ａ  横引きシャッター
１  シャッター枠
１１  上レール
１２  下レール
１３  気密材
１４  縦枠
２  シャッター単位
３  戸体
３１  横框
３２  縦框
３３  パネル
３４  吊元框
３５  丁番金具
４  支持基板
４１  取付被嵌部
４２  水平突出部
４３  固定片
４４  Ｌ字片
４５  水平突片
４６  上吊用のローラー
４７  振れ止め用のローラー
５  開き止め部材
５１  固定基部
５２  係止突起
５３  係止突起
５４  受座
【図１】
2012077559.tif 000003
【図２】
2012077559.tif 000004
【図３】
2012077559.tif 000005
【図４】
2012077559.tif 000006
【図５】
2012077559.tif 000007
【図６】
2012077559.tif 000008
【図７】
2012077559.tif 000009
【図８】
2012077559.tif 000010
【図９】
2012077559.tif 000011
【図１０】
2012077559.tif 000012
【図１１】
2012077559.tif 000013